(57)【要約】【課題】剥離ライナーに適切な深さで切れ込みを入れ易い粘着シートを提供する。【解決手段】粘着シート１００は、保護層１１０、コート層１２０、基材層１３０、粘着剤層１４０、および、粘着剤層に隣接する面に凹凸１５２が形成された剥離ライナー１５０を、積層方向にこの順序で有する。粘着シートでは、積層方向における保護層側および剥離ライナー側の両面のうち、保護層側の一方の面１１１が、剥離ライナー側の他方の面１５１よりも大きな振幅のうねりを含んだ荒れた状態であり、剥離ライナー側の他方の面１５１が、前記一方の面１１１よりもうねりの振幅が抑制された平滑な状態である。【選択図】図１
2020050697.tif 000002
【特許請求の範囲】
【請求項１】
保護層、コート層、基材層、粘着剤層、および、当該粘着剤層に隣接する面に凹凸が形成された剥離ライナーを、積層方向にこの順序で有し、
前記積層方向における前記保護層側および前記剥離ライナー側の両面のうち、
前記保護層側の一方の面は、前記剥離ライナー側の他方の面よりも大きな振幅のうねりを含んだ荒れた状態であり、
前記剥離ライナー側の前記他方の面は、前記一方の面よりもうねりの振幅が抑制された平滑な状態である、粘着シート。
【請求項２】
前記剥離ライナーは、前記凹凸が形成された第１のポリオレフィン系樹脂層、支持基材、および第２のポリオレフィン系樹脂層を、積層方向にこの順序で有する、請求項１に記載の粘着シート。
【請求項３】
前記剥離ライナー側の前記他方の面において、ＪＩＳ  Ｂ０６０１：２０１３（ＩＳＯ  ４２８７：１９９７）に規定されるうねり曲線の最大断面高さＷｔが、０．１μｍ以下である、請求項１または請求項２に記載の粘着シート。
【請求項４】
前記保護層側の前記一方の面において、ＪＩＳ  Ｂ０６０１：２０１３（ＩＳＯ  ４２８７：１９９７）に規定されるうねり曲線要素の平均高さＷｃが、５μｍ以上である、請求項１〜請求項３のうちのいずれか１つに記載の粘着シート。
【発明の詳細な説明】
【技術分野】
【０００１】
本発明は、粘着シートに関する。
【背景技術】
【０００２】
従来、被着体に粘着剤層を介して貼付される粘着シートでは、例えば特許文献１および特許文献２で開示されているように、貼付前に粘着剤層に配置されている剥離シート（剥離ライナー）にエンボスパターンが設けられていることがある。
【０００３】
このようなエンボスパターンは、反転されて粘着剤層に例えば溝を形成するため、粘着シートが被着体に貼付された際、それらの間に入り込んだ空気が、粘着剤層の溝を通じて排出され、粘着シートのふくれが抑制される。
【０００４】
ふくれの抑制は、粘着シートのきれいな貼付を可能にすることから、例えば車体の窓枠等に貼付されるブラックアウトテープ等、意匠性が重視される加飾シートにとって特に好ましい。
【０００５】
また、粘着シートを被着体にきれいに貼付するには、ふくれの抑制とともに被着体への位置合わせが重要であり、被着体への粘着シートの位置合わせは、剥離ライナーを部分的に剥がし、露出した一部の粘着剤層を介して仮止めすることによって行い易くなる。
【０００６】
その場合、剥離ライナーは、部分的に剥がせるよう、粘着シートの剥離ライナー面に刃を押し当てて切れ込みが入れられる。ここで、刃が押し当てられる剥離ライナーの面は、粘着剤層に隣接する面とは反対面であり、粘着シートがロール状にされたり複数重ね合わされたりした際、隣接する粘着シート同士が密着して分離し難くなるブロッキングが生じないよう、通常、荒らされる。
【先行技術文献】
【特許文献】
【０００７】
【特許文献１】再表２００３／０２５０７８号公報
【特許文献２】特開２０１０−１８０２７１号公報
【発明の概要】
【発明が解決しようとする課題】
【０００８】
しかしながら、剥離ライナーが、粘着剤層に隣接する面に上記従来技術のエンボスパターンのような凹凸を有しており、かつ、その反対面が荒らされて大きな振幅のうねりを含むと、場所によって厚みの違いが大きくなり、剥離ライナーに適切な深さで切れ込みが入りづらくなる虞がある。
【０００９】
切れ込みが誤って深く入り過ぎてしまうと、その痕によって粘着シートの外観が損なわれることがあり、逆に、切れ込みが浅過ぎると、剥離ライナーが切断されず部分的な剥離が難しくなることがあるため、好ましくない。
【００１０】
そこで、本発明は、剥離ライナーに適切な深さで切れ込みを入れ易い粘着シートを提供することを目的とする。
【課題を解決するための手段】
【００１１】
上記目的を達成するための本発明の粘着シートは、保護層、コート層、基材層、粘着剤層、および、当該粘着剤層に隣接する面に凹凸が形成された剥離ライナーを、積層方向にこの順序で有する。本発明の粘着シートでは、前記積層方向における前記保護層側および前記剥離ライナー側の両面のうち、前記保護層側の一方の面が、前記剥離ライナー側の他方の面よりも大きな振幅のうねりを含んだ荒れた状態であり、前記剥離ライナー側の前記他方の面が、前記一方の面よりもうねりの振幅が抑制された平滑な状態である。
【発明の効果】
【００１２】
上記構成を有する粘着シートにあっては、その両面のうち、剥離ライナー側が保護層側に比べうねりの抑制された平滑な状態であるため、剥離ライナーは、粘着剤層に隣接する面に凹凸が形成されていても、場所による厚みの違いが小さく、適切な深さで切れ込みを入れ易い。
【００１３】
また、上記構成を有する粘着シートによれば、粘着シート同士が重ね合わされた際、一の粘着シートにおける剥離ライナー側の平滑な面が、他の粘着シートにおける保護層側の面と隣接したとしても、この保護層側の面が荒れた状態であるため、粘着シート同士が密着してくっつき難く、ブロッキングが防止される。
【図面の簡単な説明】
【００１４】
【図１】実施形態の粘着シートを示す図である。
【図２】うねりを含む粘着シートの表面の例を示す部分拡大図である。
【図３】重ね合わされる実施形態の粘着シートを示す図である。
【発明を実施するための形態】
【００１５】
以下、添付した図面を参照しながら、本発明の実施形態を説明する。なお、図面の寸法比率は、説明の都合上誇張されており、実際の比率とは異なる。
【００１６】
図１に示すように、実施形態の粘着シート１００は、工程フィルム１１０（保護層）、コート層１２０、基材層１３０、粘着剤層１４０、および剥離ライナー１５０を積層方向にこの順序で有する。粘着シート１００は、特に限定されないが、例えば、車体の窓枠等に貼付されるブラックアウトテープ等の加飾シートである。
【００１７】
粘着シート１００では、積層方向における工程フィルム１１０側および剥離ライナー１５０側の両面１１１、１５１のうち、工程フィルム１１０側の一方の面１１１が、剥離ライナー１５０側の他方の面１５１よりも荒れた状態である。逆に、剥離ライナー１５０側の他方の面１５１は、工程フィルム１１０側の一方の面１１１よりも平滑な状態である。
【００１８】
図２を参照しつつ説明すると、荒れた面１１１は、平滑な面１５１よりも振幅Ａの大きなうねりを含んでおり、一方、平滑な面１５１では、荒れた面１１１よりもうねりの振幅Ａが抑制されている。表面のうねりは、例えば、ＪＩＳ  Ｂ０６０１：２０１３（ＩＳＯ  ４２８７：１９９７）に規定されるうねり曲線によって表される。また、うねりの振幅Ａは、例えば、同規格に規定されるうねり曲線要素の平均高さＷｃとして表される。
【００１９】
荒れた面１１１において、うねり曲線要素の平均高さＷｃは、例えば５μｍ以上であり、好ましくは５μｍ以上２０μｍ以下、より好ましくは５μｍ以上１０μｍ以下である。
【００２０】
一方、平滑な面１５１においては、うねり曲線の最大断面高さＷｔが、例えば０．１μｍ以下であり、面１５１におけるうねり曲線要素の平均高さＷｃは、例えば０．０１μｍ以上０．１μｍ以下である。
【００２１】
面１１１、１５１のそれぞれのうねり曲線は、例えば、株式会社ミツトヨ製表面粗さ測定機サーフテストＳＶ−３０００によって、カットオフ値０．８ｍｍ、評価長さ１０ｍｍの条件で測定できる。
【００２２】
粘着シート１００は、例えば、工程フィルム１１０にコート層１２０および基材層１３０を形成し、これらの積層体と、粘着剤層１４０および剥離ライナー１５０の積層体とを貼り合わせて作製される。
【００２３】
工程フィルム１１０は、例えば、ポリエチレンテレフタレート（ＰＥＴ）によって形成されるが、これに限定されず、例えば、ポリエチレンテレフタレート（ＰＥＴ）、ポリオレフィン、およびポリ塩化ビニル（ＰＶＣ）からなる群から選択される少なくとも１種によって形成される。ポリオレフィンとしては、例えば、ポリエチレン（ＰＥ）、ポリプロピレン（ＰＰ）、ポリブテン（ＰＢ）、ポリブタジエン（ＰＢＤ）、ポリメチルペンテン（ＰＭＰ）等が挙げられるが、これらに限定されない。
【００２４】
工程フィルム１１０では、面１１１は荒らされてマットな状態であるが、それと反対のコート層１２０側の面は、面１１１よりもうねりの振幅が小さく、平滑であることが好ましい。
【００２５】
コート層１２０は、例えば、樹脂および場合により添加剤を溶媒に分散させた分散液を、工程フィルム１１０に対し、面１１１とは反対の平滑な面に塗工し、これを乾燥することによって得られる。工程フィルム１１０は、粘着シート１００が実際に被着体に貼付される際には、コート層１２０から除去されるが、それまでコート層１２０を保護し、例えば、コート層１２０が未硬化の柔らかい塗膜の状態のとき、その表面が凸凹になったり、塗膜の一部が他所に付着して失われたりするのを防止する。
【００２６】
コート層１２０が、粘着シート１００においてどのような機能を有する構成要素であるかは、粘着シート１００の用途に応じて適宜設計でき特に限定されないが、例えば、粘着シート１００が加飾シートである場合、コート層１２０は、光沢性を調整するのに設けられる。
【００２７】
コート層１２０は、工程フィルム１１０に対し、面１１１とは反対の平滑な面に形成されることによって、表面が平滑となり、光沢性が損なわれ難くなるため、工程フィルム１１０が面１１１の反対側に平滑な面を有することは、加飾シートにとって好適である。
【００２８】
コート層１２０を構成する樹脂としては、例えば、ポリウレタン；アクリル系ポリマー；ポリ塩化ビニル；ポリエチレン、ポリプロピレン等のポリオレフィン；オレフィン系、ポリエステル系等の熱可塑性エラストマー；アイオノマーなどの樹脂を主成分とすることができる。また、コート層１２０は、顔料、無機フィラー、有機フィラー、紫外線吸収剤等の各種添加剤を含んでもよい。
【００２９】
基材層１３０は、コート層１２０の形成に次いでコート層１２０に積層される。基材層１３０は、好ましくは、着色剤、およびバインダー樹脂を含む。基材層１３０は、例えば、着色剤、樹脂、必要に応じて分散剤や溶剤等を含むインク組成物を、コート層１２０に塗工し、これを乾燥、硬化させて形成される。
【００３０】
基材層１３０に含まれる着色剤としては、例えば、カーボンブラック（ファーネスブラック、チャンネルブラック、アセチレンブラック、サーマルブラック、ランプブラック、松煙等）、グラファイト（黒鉛）、酸化銅、二酸化マンガン、アニリンブラック、ペリレンブラック、チタンブラック、シアニンブラック、活性炭、フェライト（非磁性フェライト、磁性フェライト等）、マグネタイト、酸化クロム、酸化鉄、二硫化モリブデン、クロム錯体、複合酸化物系黒色色素、アントラキノン系有機黒色色素等などが用いられる。
【００３１】
基材層１３０に含まれる樹脂としては、例えば、ポリ塩化ビニル樹脂、ポリウレタン樹脂、アクリル樹脂、ポリオレフィン樹脂などが挙げられる。
【００３２】
粘着剤層１４０は、特に限定されず、例えば、アクリル系粘着剤、ゴム系粘着剤、シリコーン系粘着剤、ウレタン系粘着剤等の粘着剤によって形成される。これらの粘着剤は、１種単独で用いても２種以上併用してもよい。また、粘着剤は、架橋剤を含んでもよい。粘着剤層１４０は、例えば、粘着剤組成物を剥離ライナー１５０に塗工し、その後、乾燥することによって得られる。粘着剤層１４０の厚みは、例えば１０μｍ以上１００μｍ以下であるが、これに限定されない。
【００３３】
剥離ライナー１５０は、粘着剤層１４０に隣接する面に、凹凸１５２を有する。剥離ライナー１５０は、凹凸１５２が形成された第１のポリオレフィン系樹脂層１５３、支持基材１５４、および第２のポリオレフィン系樹脂層１５５を、積層方向にこの順序で有する。
【００３４】
第１のポリオレフィン系樹脂層１５３の厚みは、例えば１０μｍ以上５０μｍ以下であるが、これに限定されない。支持基材１５４の厚みは、例えば１０μｍ以上２５０μｍ以下であるが、これに限定されない。第２のポリオレフィン系樹脂層１５５の厚みは、例えば１０μｍ以上５０μｍ以下であるが、これに限定されない。
【００３５】
凹凸１５２は、例えば、剥離ライナー１５０の面に沿って線状に延びる複数の突条部によって構成され、突条部は凸となり、突条部と突条部との間が凹となる。凹凸１５２において、凸となった部分の高さおよび凹となった部分の深さは、例えば５μｍ以上２０μｍ以下であるが、これに限定されない。
【００３６】
凸となる突条部は、剥離ライナー１５０の面に沿って延びている方向に垂直な断面において、例えば、三角形、矩形、台形、これら多角形の頂点が丸みを帯びた形状、または、略半円形状等の断面形状を有するが、同断面における断面形状はこれらに限定されず、適宜設計できる。
【００３７】
また、突条部が、剥離ライナー１５０の面に垂直な方向から見た平面視において、どのように延びているかも特に限定されず、例えば、直線状に延びていてもよいし、曲線状に曲がって延びていてもよい。また、線状に延びる突条部の端部は、好ましくは剥離ライナー１５０の縁に達している。
【００３８】
また、同平面視において、複数の突条部は、平行であってもよいし、互いに交差していてもよく、それらは、例えば格子状等の幾何学的模様を呈するが、規則的なパターンを呈する形態に限定されず、不規則に設けられている形態であってもよい。
【００３９】
ここで述べてきた凹凸１５２の形状が、隣接する粘着剤層１４０に反転して転写される結果、粘着剤層１４０に溝が形成される。この溝が、貼付の際に被着体と粘着剤層１４０との間に入り込む空気を排出するため、ふくれが抑制される。
【００４０】
なお、凹凸１５２は、上で述べたような線状に延びた突条部によって構成される形態に限定されず、例えば、島状に点在する複数の突部によって構成されてもよいし、深さや開口の大きさ等の異なる大小のくぼみが無秩序に連なって構成されていてもよい。あるいは、線状に延びる突条部、島状に点在する突部、およびくぼみ等の異なる構成要素の少なくとも２つを組み合わせて凹凸１５２を構成してもよい。
【００４１】
凹凸１５２をどのような形態で構成するかは、粘着剤層１４０にどのような機能を主として付与するかによって異なり、例えば、空気の排出機能を粘着剤層１４０に主として付与したいのであれば、溝が形成されるよう、凹凸１５２は、上述のように線状に延びる突条部を含むことが好ましい。
【００４２】
一方、例えば、位置合わせの際の被着体に対する接触面積を抑えるべく、主に粘着剤層１４０の表面粗さを大きくしたいのであれば、凹凸１５２を、無秩序に連なった大小のくぼみによって構成するようにしてもよい。
【００４３】
凹凸１５２は、第１のポリオレフィン系樹脂層１５３の表面を、例えばエンボス加工することによって形成されるが、これに限定されず、例えばスクリーン印刷等の印刷技術によって形成されてもよい。
【００４４】
第１のポリオレフィン系樹脂層１５３は、層中の樹脂の主成分として、ポリオレフィン樹脂を含む。ここで主成分とは、樹脂に対して６０質量％以上（上限１００質量％）含まれる樹脂を指し、７５質量％以上（上限１００質量％）含まれることが好ましく、８５質量％以上（上限１００質量％）含まれることがより好ましく、９５質量％以上（上限１００質量％）含まれることが最も好ましい。
【００４５】
ポリオレフィン樹脂としては、ポリエチレン樹脂、ポリプロピレン樹脂が挙げられるが、エンボス加工性の観点から、ポリエチレン樹脂であることが好ましい。
【００４６】
ポリエチレン樹脂は、（分岐状）低密度ポリエチレン樹脂（ＬＤＰＥ）、直鎖状低密度ポリエチレン樹脂（ＬＬＤＰＥ）、中密度ポリエチレン樹脂（ＭＤＰＥ）、極低密度ポリエチレン樹脂（ＶＬＤＰＥ）、高密度ポリエチレン樹脂（ＨＤＰＥ）のいずれであってもよい。また、上記ポリエチレン樹脂の混合物であってもよい。
【００４７】
第１のポリオレフィン系樹脂層１５３においては、粘着剤層１４０側の表面に剥離剤処理が施されていてもよい。当該剥離剤として、例えば、シリコーン系樹脂、オレフィン系樹脂、イソプレン系樹脂、ブタジエン系樹脂等のゴム系エラストマー、長鎖アルキル系樹脂、長鎖アルキルアクリレート系樹脂、アルキド系樹脂、フッ素系樹脂等が挙げられる。
【００４８】
支持基材１５４は、特に限定されないが、平滑性の観点から、プラスチックフィルムであることが好ましい。このようなプラスチックフィルムとしては、例えば、ポリエチレンテレフタレート、ポリブチレンテレフタレート、ポリエチレンナフタレート等のポリエステルフィルム、ポリプロピレン、ポリエチレン等のポリオレフィンフィルム等のプラスチックフィルムが挙げられる。これらの中でも、曲げ剛性が高いことから、支持基材１５４は、ポリエチレンテレフタレートフィルムであることが好ましい。ポリエチレンテレフタレートフィルムは、収縮しにくく、曲げ剛性が高いことから、二軸延伸されていることが好ましい。
【００４９】
第２のポリオレフィン系樹脂層１５５は、第１のポリオレフィン系樹脂層１５３と同様、層中の樹脂の主成分として、ポリオレフィン樹脂を含む。第２のポリオレフィン系樹脂層１５５は、第１のポリオレフィン系樹脂層１５３と同じ組成を有してもよいし、異なる組成を有してもよい。
【００５０】
次に、本実施形態の作用効果を述べる。
【００５１】
本実施形態の粘着シート１００は、被着体への貼付の際、位置合わせし易いように、剥離ライナー１５０が部分的に剥がされ、露出した一部の粘着剤層１４０で被着体に仮止めされる。そのため、剥離ライナー１５０には、部分的に剥がせるよう、切れ込みが入れられる。
【００５２】
切れ込みは、剥離ライナー１５０の面１５１に刃を押し当てて入れられるが、本実施形態と異なり、面１５１が平滑でなく、面１１１のように荒らされて大きな振幅のうねりを含んでいると、そのうねりに起因して、剥離ライナー１５０では場所によって厚みの違いが大きくなり、適切な深さで切れ込みが入りづらくなる虞がある。
【００５３】
例えば、剥離ライナー１５０の厚みが比較的大きい箇所を基準として、切れ込みの深さが設定されている場合に、実際の切れ込み箇所が厚みの比較的小さい箇所であると、切れ込みが深く入り過ぎてしまい、刃の跡が粘着剤層１４０や基材層１３０に残り、それが粘着シート１００の表面から視認される結果、外観が損なわれる虞がある。
【００５４】
また、剥離ライナー１５０の厚みが比較的小さい箇所を基準として、切れ込みの深さが設定されている場合に、実際の切れ込み箇所が厚みの比較的大きい箇所であると、切れ込みが浅くなってしまい、剥離ライナー１５０が切断されず部分的な剥離が難しくなる虞がある。
【００５５】
一方、本実施形態の粘着シート１００にあっては、面１５１が面１１１に比べうねりの抑制された平滑な状態であるため、剥離ライナー１５０は、場所による厚みの違いが小さく、適切な深さで切れ込みを入れ易い。
【００５６】
作業者は、切れ込みが入れられて分割された剥離ライナー１５０の一部を剥がして被着体に粘着シート１００を仮止めし、位置合わせ後、残りの剥離ライナー１５０を剥がして被着体に粘着シート１００の全体を貼付する。
【００５７】
貼付前、例えば、粘着シート１００の輸送や保管にあたり、粘着シート１００が、長尺な状態からロール状に巻回されたり、シート状に複数積層されたりすると、粘着シート１００同士が重なり合う。
【００５８】
その際、図３に示すように、粘着シート１００同士は、一の粘着シート１００における平滑な面１５１が、他の粘着シート１００における面１１１と隣接するように重ね合わされるが、本実施形態と異なり、面１１１も面１５１と同様に平滑であると、粘着シート１００同士が密着して分離し難くなるブロッキングが生じる虞がある。
【００５９】
これに対し、本実施形態では、面１１１が荒れた状態であるため、面１５１が平滑であったとしても、粘着シート１００同士が密着してくっつき難く、ブロッキングが防止される。
【００６０】
本実施形態と異なり、剥離ライナー１５０は、例えばポリエチレンテレフタレート（ＰＥＴ）等の樹脂によって、単層に形成されてもよい。しかしながら、剥離ライナー１５０が、第１のポリオレフィン系樹脂層１５３、支持基材１５４、および第２のポリオレフィン系樹脂層１５５をこの順序で積層した構成を有することによって、凹凸１５２を形成し易く、剥離ライナー１５０のカールを抑制できる。
【００６１】
具体的に、第１のポリオレフィン系樹脂層１５３は、ポリオレフィン樹脂を主成分としており、ポリエチレンテレフタレート（ＰＥＴ）等の樹脂に比べ、加工性に優れるため、凹凸１５２を形成し易い。
【００６２】
また、第２のポリオレフィン系樹脂層１５５が、支持基材１５４に対し、第１のポリオレフィン系樹脂層１５３と反対側に配置されているため、剥離ライナー１５０のカールが抑制され易い。剥離ライナー１５０のカール抑制という観点からは、第２のポリオレフィン系樹脂層１５５は、第１のポリオレフィン系樹脂層１５３と同じ組成であることが好ましい。
【００６３】
また、第２のポリオレフィン系樹脂層１５５は、第１のポリオレフィン系樹脂層１５３と同様、加工性に優れるため、面１５１を平滑にし易く好ましい。
【００６４】
面１５１において、ＪＩＳ  Ｂ０６０１：２０１３（ＩＳＯ  ４２８７：１９９７）に規定されるうねり曲線の最大断面高さＷｔが、０．１μｍ以下であれば、剥離ライナー１５０は、場所による厚みの違いが特に効果的に抑制されるため、切れ込みをより適切な深さで入れ易い。
【００６５】
また、面１１１において、ＪＩＳ  Ｂ０６０１：２０１３（ＩＳＯ  ４２８７：１９９７）に規定されるうねり曲線要素の平均高さＷｃが、５μｍ以上であれば、重なり合う粘着シート１００同士の密着が特に効果的に抑制されるため、ブロッキングがより防止され易い。
【００６６】
本発明は、上述した実施形態に限定されるものではなく、特許請求の範囲内で種々改変できる。
【００６７】
例えば、粘着シートの形状は、特に限定されず、長尺であってもよいし、裁断されて被着体に対応した形状であってもよい。また、粘着シートは、上記実施形態で開示された構成要素以外にも、他の層状の構成要素を含んでいてもよい。
【符号の説明】
【００６８】
１００    粘着シート、
１１０    工程フィルム（保護層）、
１１１    工程フィルム側の一方の面（保護層側の一方の面）、
１２０    コート層、
１３０    基材層、
１４０    粘着剤層、
１５０    剥離ライナー、
１５１    剥離ライナー側の他方の面、
１５２    凹凸、
１５３    第１のポリオレフィン系樹脂層、
１５４    支持基材、
１５５    第２のポリオレフィン系樹脂層、
Ａ    うねりの振幅。
【図１】
2020050697.tif 000003
【図２】
2020050697.tif 000004
【図３】
2020050697.tif 000005